(57)【要約】  ディスプレイ装置の表示モードの自動設定が、ユーザインターフェイスを通じてコンテンツ項目のコンテンツ選択を受け取るステップと、コンテンツ選択をコンテンツサーバに送るステップと、コンテンツサーバからコンテンツデータを受け取るステップと、メタデータ表示設定を示す設定メタデータをコンテンツサーバから受け取るステップと、設定メタデータを処理してメタデータ表示設定を決定するステップとを含み、設定メタデータは、ディスプレイ装置のメモリユニットに記憶すること、コンテンツデータと共に受け取って処理し、メタデータ表示設定を更新するために使用すること、ディスプレイ装置上で動作する少なくとも１つのアプリケーションに関連付けること、のうちの少なくとも１つのために処理され、自動設定は、メタデータ表示設定に従ってディスプレイ装置の表示モードを設定するステップと、設定された表示モードに従って、ディスプレイ装置を通じてメディアコンテンツを表示するステップとをさらに含む。【選択図】      図１
2021531712.tif 000002
【特許請求の範囲】
【請求項１】
ディスプレイ装置の表示モードを自動的に設定するシステムであって、
少なくとも１つのアプリケーション及びメモリユニットを含んで複数の表示モードを有するディスプレイと、
前記ディスプレイの前記複数の表示モードを制御する設定モジュールと、
コンテンツデータ及び設定メタデータを受け取るネットワークインターフェイスと、
前記ネットワークインターフェイスを通じて受け取られた前記設定メタデータを処理し、前記設定メタデータによって示される表示モードを決定し、前記決定された表示モードを前記設定モジュールに提供するメタデータモジュールと、
を備え、前記ネットワークインターフェイスを通じて受け取られた前記設定メタデータは、前記ディスプレイ上で動作する少なくとも１つのアプリケーションに関連する、
ことを特徴とするシステム。
【請求項２】
前記メタデータモジュールは、前記決定された表示モードを前記複数の表示モードから選択するように構成される、
請求項１に記載のシステム。
【請求項３】
前記複数の表示モードの各表示モードは、複数のピクチャ設定によって定められる、
請求項１に記載のシステム。
【請求項４】
前記ピクチャ設定は、コンテンツ制作者によって主観的に決定される、
請求項３に記載のシステム。
【請求項５】
前記ピクチャ設定は、バックライト、コントラスト、輝度、色、色相及び色温度のうちの少なくとも１つを含む、
請求項４に記載のシステム。
【請求項６】
前記コンテンツ制作者は、ピクチャ品質専門家、プロデューサ及びディレクタを含む、
請求項４に記載のシステム。
【請求項７】
前記コンテンツデータは、ストリーミングサービスから受け取られたオーディオ及びビデオストリームを含むメディアデータを含む、
請求項１に記載のシステム。
【請求項８】
前記メディアデータは、映画及びテレビ番組を含む、
請求項７に記載のシステム。
【請求項９】
ディスプレイ装置の表示モードを自動的に設定する方法であって、
ユーザインターフェイスを通じてコンテンツ項目のコンテンツ選択を受け取るステップと、
前記コンテンツ選択をコンテンツサーバに送るステップと、
メディアコンテンツの表現であるコンテンツデータを前記コンテンツサーバから受け取るステップと、
メタデータ表示設定を示す設定メタデータを前記コンテンツサーバから受け取るステップと、
前記設定メタデータを処理して前記メタデータ表示設定を決定するステップと、
を含み、前記設定メタデータは、（１）前記ディスプレイ装置のメモリユニットに記憶すること、（２）前記コンテンツデータと共に受け取って処理し、前記メタデータ表示設定を更新するために使用すること、（３）前記ディスプレイ装置上で動作する少なくとも１つのアプリケーションに関連付けること、のうちの少なくとも１つのために処理され、前記方法は、
前記メタデータ表示設定に従ってディスプレイ装置の表示モードを設定するステップと、
前記設定された表示モードに従って、前記ディスプレイ装置を通じて前記メディアコンテンツを表示するステップと、
をさらに含む、ことを特徴とする方法。
【請求項１０】
前記ユーザインターフェイスは、ユーザの所有するモバイル装置にインストールされる、
請求項９に記載の方法。
【請求項１１】
前記メディアコンテンツは映画を含む、
請求項９に記載の方法。
【請求項１２】
前記メディアコンテンツはテレビ番組を含む、
請求項９に記載の方法。
【請求項１３】
前記設定メタデータは、コンテンツ制作者によって主観的に決定される、
請求項９に記載の方法。
【請求項１４】
前記コンテンツ制作者は、ピクチャ品質専門家、プロデューサ及びディレクタを含む、
請求項１３に記載の方法。
【請求項１５】
ディスプレイ装置の表示モードを自動的に設定する装置であって、
ユーザインターフェイスを通じてコンテンツ項目を受け取るように構成された、コンテンツ選択を受け取る手段と、
前記コンテンツ選択をコンテンツサーバに送るように構成された、前記コンテンツ選択を前記コンテンツサーバに送る手段と、
メディアコンテンツの表現であるコンテンツデータを前記コンテンツサーバから受け取るように構成された、前記コンテンツデータを受け取る手段と、
前記コンテンツサーバから前記設定メタデータを受け取るように構成された、前記設定メタデータを受け取る手段と、
前記設定メタデータを処理してメタデータ表示設定を決定するように構成された、前記設定メタデータを処理する手段と、
を備え、前記設定メタデータは、（１）前記ディスプレイ装置のメモリユニットに記憶すること、（２）前記コンテンツデータと共に受け取って処理し、前記メタデータ表示設定を更新するために使用すること、（３）前記ディスプレイ装置上で動作する少なくとも１つのアプリケーションに関連付けること、のうちの少なくとも１つのために処理され、前記装置は、
前記設定メタデータを処理する手段から受け取られた前記メタデータ表示設定に従って前記ディスプレイ装置の表示モードを設定するように構成された、前記表示モードを設定する手段と、
前記設定された表示モードに従って前記ディスプレイ装置上に前記メディアコンテンツを表示するように構成された、前記メディアコンテンツを表示する手段と、
をさらに備える、ことを特徴とする装置。
【請求項１６】
前記コンテンツ選択は、モバイル装置にインストールされた前記ユーザインターフェイスを通じて入力される、
請求項１５に記載の装置。
【請求項１７】
前記コンテンツ選択は、リモコン装置の前記ユーザインターフェイスを通じて入力される、
請求項１５に記載の装置。
【請求項１８】
前記メディアコンテンツは音楽ファイルを含み、前記設定メタデータは、制御音量、ステレオ設定及びスピーカ設定のうちの少なくとも１つを含む、
請求項１５に記載の装置。
【請求項１９】
前記表示モードは、前記受け取られた表示設定を使用して前記表示モードの属性を設定することによって設定される、
請求項１５に記載の装置。
【請求項２０】
前記メタデータ表示設定は、前記ディスプレイ装置の前記表示モードを含む、
請求項１５に記載の装置。
【発明の詳細な説明】
【技術分野】
【０００１】
〔関連出願との相互参照〕
本出願は、２０１８年７月３０日に出願された「コンテンツデータベースに基づくテレビピクチャモードの自動設定（Ａｕｔｏｍａｔｉｃ  Ｓｅｔｔｉｎｇ  ｏｆ  ａ  ｔｅｌｅｖｉｓｉｏｎ  Ｐｉｃｔｕｒｅ  Ｍｏｄｅ  Ｂａｓｅｄ  ｏｎ  ａ  Ｃｏｎｔｅｎｔ  Ｄａｔａｂａｓｅ（」という名称の同時係属中の米国仮特許出願第６２／７１２，０７４号の米国特許法第１１９条に基づく優先権の利益を主張するものである。上記出願の開示は、引用により本明細書に組み入れられる。
【０００２】
本開示は、ディスプレイ装置の表示モードの設定に関し、具体的には、コンテンツに関連するメタデータに基づいて表示モードを設定することに関する。
【背景技術】
【０００３】
多くの場合、テレビ受像機などのディスプレイ装置の表示（又はピクチャ）モードはユーザによって決定される。いくつかの例では、特定のモデルのテレビ受像機に適した表示モードをテレビ受像機が自動的に設定することができる。その他の例では、テレビ受像機がメディアジャンル（例えば、「映画」）を自動的に検出し、映画ジャンルに概ね適した表示モードに自動的に変更することができる。しかしながら、これらの例は妥協案であり、ディスプレイ装置上で忠実にメディアを表現できないこともある。
【発明の概要】
【課題を解決するための手段】
【０００４】
本開示は、コンテンツに関連するメタデータに基づく表示モードの設定を可能にする。
【０００５】
１つの実装では、ディスプレイ装置の表示モードを自動的に設定するシステムを開示する。システムは、少なくとも１つのアプリケーション及びメモリユニットを含んで複数の表示モードを有するディスプレイと、ディスプレイの複数の表示モードを制御する設定モジュールと、コンテンツデータ及び設定メタデータを受け取るネットワークインターフェイスと、ネットワークインターフェイスを通じて受け取られた設定メタデータを処理し、設定メタデータによって示される表示モードを決定し、決定された表示モードを設定モジュールに提供するメタデータモジュールとを備え、ネットワークインターフェイスを通じて受け取られた設定メタデータは、ディスプレイ上で動作する少なくとも１つのアプリケーションに関連する。
【０００６】
１つの実装では、メタデータモジュールが、決定された表示モードを複数の表示モードから選択するように構成される。１つの実装では、複数の表示モードの各表示モードが、複数のピクチャ設定によって定められる。１つの実装では、ピクチャ設定が、コンテンツ制作者によって主観的に決定される。１つの実装では、ピクチャ設定が、バックライト、コントラスト、輝度、色、色相及び色温度のうちの少なくとも１つを含む。１つの実装では、コンテンツ制作者が、ピクチャ品質専門家（ｐｉｃｔｕｒｅ  ｑｕａｌｉｔｙ  ｅｘｐｅｒｔｓ）、プロデューサ及びディレクタを含む。１つの実装では、コンテンツデータが、ストリーミングサービスから受け取られオーディオ及びビデオストリームを含むメディアデータを含む。１つの実装では、メディアデータが、映画及びテレビ番組を含む。１つの実装では、表示モードが、シネマ、ＩＭＡＸ、標準、鮮明、カスタム、又はリテールを含む。
【０００７】
別の実装では、ディスプレイ装置の表示モードを自動的に設定する方法を開示する。この方法は、ユーザインターフェイスを通じてコンテンツ項目のコンテンツ選択を受け取るステップと、コンテンツ選択をコンテンツサーバに送るステップと、メディアコンテンツの表現であるコンテンツデータをコンテンツサーバから受け取るステップと、メタデータ表示設定を示す設定メタデータをコンテンツサーバから受け取るステップと、設定メタデータを処理してメタデータ表示設定を決定するステップと、を含み、設定メタデータは、（１）ディスプレイ装置のメモリユニットに記憶すること、（２）コンテンツデータと共に受け取って処理し、メタデータ表示設定を更新するために使用すること、（３）ディスプレイ装置上で動作する少なくとも１つのアプリケーションに関連付けること、のうちの少なくとも１つのために処理され、方法は、メタデータ表示設定に従ってディスプレイ装置の表示モードを設定するステップと、設定された表示モードに従って、ディスプレイ装置を通じてメディアコンテンツを表示するステップと、をさらに含む。
【０００８】
１つの実装では、ユーザインターフェイスが、ユーザの所有するモバイル装置にインストールされる。１つの実装では、メディアコンテンツが映画を含む。１つの実装では、メディアコンテンツがテレビ番組を含む。１つの実装では、設定メタデータが、コンテンツ制作者によって主観的に決定される。１つの実装では、コンテンツ制作者は、ピクチャ品質専門家、プロデューサ及びディレクタを含む。
【０００９】
別の実装では、ディスプレイ装置の表示モードを自動的に設定する装置を開示する。この装置は、ユーザインターフェイスを通じてコンテンツ項目を受け取るように構成された、コンテンツ選択を受け取る手段と、コンテンツ選択をコンテンツサーバに送るように構成された、コンテンツ選択をコンテンツサーバに送る手段と、メディアコンテンツの表現であるコンテンツデータをコンテンツサーバから受け取るように構成された、コンテンツデータを受け取る手段と、コンテンツサーバから設定メタデータを受け取るように構成された、設定メタデータを受け取る手段と、設定メタデータを処理してメタデータ表示設定を決定するように構成された、設定メタデータを処理する手段と、を備え、設定メタデータは、（１）ディスプレイ装置のメモリユニットに記憶すること、（２）コンテンツデータと共に受け取って処理し、メタデータ表示設定を更新するために使用すること、（３）ディスプレイ装置上で動作する少なくとも１つのアプリケーションに関連付けること、のうちの少なくとも１つのために処理され、装置は、設定メタデータを処理する手段から受け取られたメタデータ表示設定に従ってディスプレイ装置の表示モードを設定するように構成された、表示モードを設定する手段と、設定された表示モードに従ってディスプレイ装置上にメディアコンテンツを表示するように構成された、メディアコンテンツを表示する手段と、をさらに備える。
【００１０】
１つの実装では、コンテンツ選択が、モバイル装置にインストールされたユーザインターフェイスを通じて入力される。１つの実装では、コンテンツ選択が、リモコン装置のユーザインターフェイスを通じて入力される。１つの実装では、メディアコンテンツが音楽ファイルを含み、設定メタデータが、制御音量、ステレオ設定及びスピーカ設定のうちの少なくとも１つを含む。１つの実装では、表示モードが、受け取られた表示設定を使用して表示モードの属性を設定することによって設定される。１つの実装では、メタデータ表示設定が、ディスプレイ装置の表示モードを含む。
【００１１】
本開示の態様を一例として示す本明細書からは、他の特徴及び利点も明らかになるはずである。
【００１２】
同じ部分を同じ参照数字によって示す添付図面を検討することにより、本開示の詳細をその構造及び動作の両方に関して部分的に収集することができる。
【図面の簡単な説明】
【００１３】
【図１】本開示の１つの実装による、ディスプレイ装置の表示モードを自動的に設定するシステムのブロック図である。
【図２】本開示の１つの実装による、ディスプレイ装置の表示モードを自動的に設定するプロセスのフロー図である。
【図３】本開示の１つの実装による、ディスプレイ装置の表示モードを自動的に設定する装置のブロック図である。
【図４Ａ】本開示の実装による、コンピュータシステム及びユーザの表現である。
【図４Ｂ】本開示の実装による、表示モード設定アプリケーションをホストするコンピュータシステムを示す機能ブロック図である。
【発明を実施するための形態】
【００１４】
本開示のいくつかの実装は、コンテンツに関連するメタデータに基づく表示モードの設定を可能にする。１つの実装では、できるだけメディア制作者の意図に近い表示設定が提供されるように、表示モードがタイトル毎に指定される。これらの説明を読んだ後には、様々な実装及び用途における本開示の実施方法が明らかになるであろう。本明細書では本開示の様々な実装について説明するが、これらの実装は限定ではなく一例として提示するものにすぎないと理解されたい。従って、様々な実装についての詳細な説明は、本開示の範囲又は外延を限定するものとして解釈すべきではない。
【００１５】
１つの実装では、ユーザが、ユーザインターフェイスを有するテレビ受像機を操作して、コンテンツシステムからネットワークを介してテレビにストリーミングするコンテンツを選択する。コンテンツシステムは、コンテンツデータを記憶するコンテンツデータベースと、コンテンツデータに対応する設定メタデータとを含む。テレビは、コンテンツの選択をコンテンツシステムに送る。コンテンツシステムは、選択されたコンテンツの設定メタデータ及びコンテンツデータをテレビに送る。
【００１６】
１つの実装では、テレビのメタデータモジュールが、受け取られた設定メタデータに基づいて表示モード（又はピクチャモード）を設定し、設定された表示モードを使用して受信コンテンツデータに基づく画像を表示する。別の実装では、コンテンツデータ及び設定メタデータが独立データベースに記憶され、設定メタデータが記憶された場所及びメタデータモジュールがメタデータを処理する方法に基づいて個別にアクセスされる。例えば、メタデータは、予めテレビ受像機のメモリに記憶しておき、メタデータモジュールがコンテンツデータと共に受け取って処理し、テレビ上で動作しているアプリケーションに関連付け、及び／又はリモートデータベースからアクセスすることができる。
【００１７】
予めテレビのメモリに記憶される設定メタデータは、特定の映画スタジオによって制作された映画の異なる表示モード及び設定を含むことができる。メタデータモジュールは、コンテンツデータと共に受け取った設定メタデータを処理して、テレビの現在の表示モード及び設定の生成及び更新を行うことができる。アプリケーションに関連付けられた設定メタデータは、そのアプリケーションに関連する映画に適した表示モード及び設定を提供することもできる。例えば、テレビ上で動作しているＮｅｔｆｌｉｘ（登録商標）などのアプリケーションは、Ｎｅｔｆｌｉｘ（登録商標）上で再生されている映画の特定の表示モード及び設定を有することができる。他の実装は、設定メタデータのタイプとストレージ機構又は配信機構との異なる組み合わせを使用することができる。例えば、１つの実装では、アプリケーションのプロバイダ又はテレビのプロバイダによって運用されるネットワークアクセス可能なコンピュータサーバシステム内のデータベースに特定の映画の設定メタデータが記憶され、アプリケーションを使用してこの映画を再生する際にアプリケーション又はテレビがネットワークを通じてこれにアクセスする。
【００１８】
実装において提供される機能は、限定するわけではないが、（１）映画などの対応するコンテンツ項目の表示モードを示す設定メタデータを記憶し、（２）対応するコンテンツ項目のコンテンツデータと共に設定メタデータをディスプレイ装置に提供し、（３）受け取った設定メタデータに従ってディスプレイ装置の表示モードを設定する、という項目のうちの１つ又は２つ以上を含むことができる。
【００１９】
１つの実装では、ストリーミングサービス（例えば、Ｎｅｔｆｌｉｘ）によって配信される映画及びテレビ番組がコンテンツデータベースに記憶される。各映画には、消費者向けテレビにおける理想的なピクチャ設定（バックライト、コントラスト、輝度、色、色相、色温度など）に関連する複数のピクチャ設定又は属性を有する表示モード（例えば、シネマ、ＩＭＡＸ、標準、鮮明なカスタム、リテールなど）が割り当てられる。これらのピクチャ設定は、テレビのディスプレイの動作及びコンテンツの視覚的表現に影響を与える。ピクチャ設定は、ユーザによってコンテンツが選択されてテレビにストリーミングされる際に消費者向けテレビが読み取ることができる設定メタデータの形で表現される。
【００２０】
上述したように、いくつかの例では、ピクチャ設定が、制作者及び／又はディレクタの意図に合致したものであるかどうかにかかわらず事前にユーザによって決定されたものである。その他の例では、通常、消費者向けテレビではなく特別なディスプレイを使用して映画及びテレビ番組がカラーグレーディング（ピクチャ設定のうちの１つ）される。グレーディングされたピクチャは、消費者向けテレビで見ると、ディレクタの意図とは大きく異なって見えることがある。従って、コンテンツ制作者及び／又はディレクタによって設定されたメタデータセットを使用して（複数のピクチャ設定を有する）テレビ表示モードを自動的に設定することで、コンテンツ制作者及び／又はディレクタの意図がより忠実に再現される。
【００２１】
１つの実装では、ピクチャ設定又は属性が、ピクチャ品質専門家によって、コンテンツ制作者、プロデューサ及び／又はディレクタと協議して主観的に決定される。従って、ピクチャ設定及び／又は表示モードをタイトル毎に指定することによって、コンテンツのピクチャ設定をできるだけ（ディレクタを含む）メディア制作者の意図に近づけることができる。別の実装では、各コンテンツの決定された（すなわち、ピクチャ品質専門家がコンテンツ制作者及び／又はディレクタと協議して決定した）ピクチャ設定が収集され、コンテンツ配信業者のデータベースに記憶される。その後、データベース内の各コンテンツに、望ましい又は理想的なピクチャ設定に関連するメタデータが割り当てられる。このメタデータは、タイトル、説明、キャストなどの従来のメタデータと共に、オーディオ及びビデオストリームと併せてテレビ受像機に送信される。テレビ受像機は、ピクチャメタデータに応答して、現在の又はデフォルトの表示モードからメタデータに対応するモードへの変更を行う。
【００２２】
１つの実装では、受け取られた設定メタデータによってディスプレイ装置の動作が変更される。ディスプレイ装置は、この設定メタデータを受け取らなかった場合には、通常使用している表示モード（例えば、ユーザによって設定された最後のモード、デフォルトモード、又は表示すべきコンテンツタイプの評価に基づいて装置によって選択されたモード）で動作する。ディスプレイ装置は、受け取った設定メタデータを検出すると、受け取ったメタデータに従って表示設定を変更して異なる視覚的表現を提示する。従って、設定メタデータの送信、受信及び処理は、ディスプレイ装置の物理的動作及び目に見える画像表現の変化を引き起こす。
【００２３】
他の実装では、音量又はスピーカ設定を制御するオーディオ設定などのさらなる又は他の表示設定をメタデータとしてコンテンツと共に提供することができる。１つの実装では、異なるタイプのテレビ受像機又はディスプレイ装置のための複数のメタデータセットを利用することができる。例えば、１つのサイズの画面については１つの表示モードが示され、別のサイズの画面については別のモードが示される。別の例では、テレビ受像機及びモバイル装置などの異なるタイプの装置のための異なるピクチャ設定を利用することができる。複数のメタデータセットをまとめて送信して装置による適切なメタデータの選択を可能にし、或いは適切なメタデータが装置に返送されるように要求に装置情報を示すことができる。
【００２４】
他の実装では、様々なタイプのコンテンツのための装置設定をコンテンツと共に提供することができる。１つの実装では、音楽などのオーディオコンテンツと共にオーディオ設定が提供される。別の実装では、ゲームコンテンツの場合、ゲームコンテンツと共に表示設定、オーディオ設定及びゲームコントローラ設定が提供される。別の実装では、医療用イメージングの場合、１又は２以上のタイプのディスプレイ装置のための表示設定を送信して、検査及び診断を改善するためにデータを明確にするための表示、又はデータの好ましいビューを示すための表示などの所望の表示を提供することができる。別の例では、記録装置、身体部分、生物学的又は化学的構造、或いは診断などの、異なるタイプ又はソースの医療画像のための装置設定を提供することができる。
【００２５】
別の実装では、装置設定メタデータが、コンテンツとは別に又は独立ソースから提供される。例えば、コンテンツプロバイダとは異なるプロバイダによって運用される異なるサーバからのピクチャ設定を利用可能にすることができる。１つのこのような例では、コンテンツがストリーミングサービスからアクセスされ、装置設定が、元々のコンテンツプロバイダ（例えば、映画を配信又は制作した映画スタジオ、或いは個人ユーザ）によって運用されるサーバからアクセスされる。別の例では、コンテンツプロバイダによって運用されるサーバに装置設定を要求する装置プロバイダ又はアプリケーションプロバイダによって運用されるサーバに対するディスプレイ装置からの又はアプリケーションによる要求などの一連の接続から装置設定が取り出される。従って、様々な実装は、ストレージ機構及び配信機構（例えば、コンテンツプロバイダ、アプリケーションプロバイダ、装置プロバイダによって記憶され、固定媒体又は取り外し可能媒体又はネットワーク配信を通じてコンテンツ、アプリケーション又は装置データと共に、或いはこれらとは別に提供される装置設定）と、異なる時点（例えば、コンテンツ、アプリケーション又は装置と共に提供、記憶されたコンテンツのために、アプリケーション又は装置に定期的に提供、記憶されたコンテンツ、アプリケーション又は装置のためにオンデマンドで提供）と、装置設定のタイプ（特定の映画又はコンテンツ、又はプロバイダ、ディレクタ、ジャンル、日付などのコンテンツ特性に基づく装置設定、或いはタイプ、バージョン、モデルなどのアプリケーション又は装置に基づく装置設定）との異なる組み合わせを使用することができる。１つの例では、例えばユーザ、好み又は優先システムによって矛盾が解決された複数の組み合わせが使用される。例えば、１つの実装では、アプリケーションが、映画をストリーミングする際にその映画が特定の映画スタジオからのものであると認識し、従ってこの映画スタジオに対応する一連の装置設定を入手する。アプリケーションは、この特定の映画のいずれかのさらなる装置設定を求めてコンテンツプロバイダからネットワークデータベースに問い合わせも行う。その後、アプリケーションは、この映画スタジオからの装置設定を優先して一連の装置設定を組み合わせる。同様に、ユーザ選択を装置設定メタデータと組み合わせて、推奨される装置設定とユーザが好む設定とを組み合わせることもできる。
【００２６】
図１は、本開示の１つの実装による、ディスプレイ装置の表示モードを自動的に設定するシステム１００のブロック図である。図１に示す実装では、システム１００が、ディスプレイ１１０と、設定モジュール１２０と、メタデータモジュール１３０と、ネットワークインターフェイスモジュール１４０とを含む。システム１００は、コンテンツデータベース１６０及び設定メタデータデータベース１７０を含むコンテンツシステム１５０とも連動する。ディスプレイ１１０は、ディスプレイ上で動作する（単複の）アプリケーション１１２、及びメモリ１１４を含む。或いは、（単複の）アプリケーション１１２及びメモリ１１４は、独立コンポーネントとして、又はシステム１００の他のコンポーネントに含まれる。上述したように、ピクチャ設定又は属性は、ピクチャ品質専門家によって、コンテンツ制作者、プロデューサ及び／又はディレクタ（まとめてコンテンツ制作者１８０と呼ぶ）と協議して主観的に決定される。従って、１つの実装では、各コンテンツのピクチャ設定がコンテンツ制作者１８０によって指定され、設定メタデータデータベース１７０に送信されて収集され記憶される。その後、コンテンツデータベース１６０に記憶された各コンテンツに、所望の又は理想的なピクチャ設定に関連するメタデータが割り当てられる。このメタデータは、タイトル、説明、キャストなどの従来のメタデータと共に、オーディオ及びビデオストリームと併せてシステム１００に送信される。システム１００は、ピクチャメタデータに応答して、ディスプレイ装置１１０の現在の又はデフォルトの表示モードからメタデータに対応するモードに変更する。
【００２７】
１つの実装では、ディスプレイ装置１１０が、複数の表示モードを有するように構成される。設定モジュール１２０は、ディスプレイ装置１１０の表示モードを制御するように構成される。ネットワークインターフェイス１４０は、コンテンツデータ及び設定メタデータを受け取る。メタデータモジュール１３０は、ネットワークインターフェイス１４０を通じて受け取った設定メタデータを処理し、設定メタデータによって示される表示モードを決定する。また、メタデータモジュール１３０は、決定された表示モードを設定モジュール１２０に提供する。
【００２８】
１つの実装では、コンテンツデータベース１６０に、ストリーミングサービス（例えば、Ｎｅｔｆｌｉｘ（登録商標））によって配信されるコンテンツ（例えば、映画及びテレビ番組）が記憶される。各コンテンツには、理想的なピクチャ設定（バックライト、コントラスト、輝度、色、色相、色温度など）に関連する複数のピクチャ設定又は属性を有する表示モード（例えば、シネマ、ＩＭＡＸ、標準、鮮明、カスタム、リテールなど）が割り当てられる。ピクチャ設定は、ディスプレイ装置１１０の動作及びコンテンツの視覚的表現に影響を与える。ピクチャ設定は、ユーザによってコンテンツが選択されてシステム１００にストリーミングされる際にシステム１００が設定メタデータデータベース１７０から読み取り又は受け取ることができる設定メタデータの形で表現される。
【００２９】
図１に示す実装では、設定メタデータをコンテンツデータとは別のデータベースに記憶して、設定メタデータが記憶された場所及びメタデータモジュールがメタデータを処理する方法に基づいて個別にアクセスすることができる。例えば、メタデータは、テレビ受像機のメモリ１１４に予め記憶しておき、メタデータモジュール１３０がコンテンツデータと共に受け取って処理し、及び／又はディスプレイ１１０上で動作しているアプリケーション１１２に関連付けることができる。
【００３０】
１つの実装では、ディスプレイ１１０のメモリ１１４に予め記憶された設定メタデータが、特定の映画スタジオによって制作された映画のための異なる表示モード及び設定を含むことができる。メタデータモジュール１３０は、コンテンツデータと共に受け取られた設定メタデータを処理して、ディスプレイ１１０の現在の表示モード及び設定の生成及び更新を行うことができる。アプリケーション１１２に関連付けられた設定メタデータは、アプリケーション１１２に関連する映画に適した表示モード及び設定を提供することもできる。例えば、ディスプレイ１１０上で動作しているＮｅｔｆｌｉｘ（登録商標）などのアプリケーションは、Ｎｅｔｆｌｉｘ（登録商標）上で再生されている映画の特定の表示モード及び設定を有することができる。
【００３１】
図２は、本開示の１つの実装による、ディスプレイ装置の表示モードを自動的に設定するプロセス２００のフロー図である。最初にブロック２１０において、ユーザインターフェイスを通じてコンテンツ項目のコンテンツ選択を受け取る。１つの実装では、ユーザインターフェイスが、ユーザの所有するモバイル装置にインストールされる。次に、ブロック２２０において、コンテンツ選択をコンテンツサーバ（例えば、コンテンツデータベース１６０）に送る。ブロック２３０において、メディアコンテンツの表現であるコンテンツデータをコンテンツサーバから受け取る。１つの実装では、メディアコンテンツが映画を含む。別の実装では、メディアコンテンツがテレビ番組を含む。
【００３２】
図２に示す実装では、ブロック２４０において、メタデータ表示設定を示す設定メタデータをコンテンツサーバから受け取る。ブロック２５０において、設定メタデータを処理してメタデータ表示設定を決定する。次に、ブロック２６０において、メタデータ表示設定に従ってディスプレイ装置の表示モードを設定する。ブロック２７０において、設定された表示モードに従って、ディスプレイ装置を通じてメディアコンテンツを表示する。
【００３３】
図３は、本開示の１つの実装による、ディスプレイ装置の表示モードを自動的に設定する装置３００のブロック図である。図３に示す実装では、装置３００が、コンテンツ選択を受け取る手段３１０と、コンテンツ選択をコンテンツサーバに送る手段３２０と、コンテンツデータを受け取る手段３３０と、設定メタデータを受け取る手段３４０と、設定メタデータを処理する手段３５０と、表示モードを設定する手段３６０と、メディアデータを表示する手段３７０とを含む。
【００３４】
コンテンツ選択を受け取る手段３１０は、ユーザインターフェイスを通じてコンテンツ項目を受け取るように構成される。１つの実装では、コンテンツ選択が、ユーザの所有するモバイル装置３０２にインストールされたユーザインターフェイスを通じて入力される。別の実装では、コンテンツ選択が、リモコン装置３０２のユーザインターフェイスを通じて入力される。
【００３５】
コンテンツ選択をコンテンツサーバに送る手段３２０は、コンテンツ選択をコンテンツサーバに送るように構成される。１つの実装では、コンテンツサーバが、コンテンツシステム１５０内に存在するコンテンツデータベース１６０を含む。別の実装では、コンテンツサーバが、コンテンツプロバイダが所有するサーバのうちの１つである。
【００３６】
コンテンツデータを受け取る手段３３０は、メディアコンテンツの表現であるコンテンツデータをコンテンツサーバから受け取るように構成される。１つの実装では、メディアコンテンツが映画を含む。別の実装では、メディアコンテンツがテレビ番組を含む。さらに別の実装では、メディアコンテンツが音楽ファイルを含む。従って、メディアコンテンツが音楽ファイルである実装では、設定メタデータが、制御音量、ステレオ設定、及び／又はスピーカ設定を含むことができる。
【００３７】
設定メタデータを受け取る手段３４０は、コンテンツサーバから設定メタデータを受け取るように構成される。１つの実装では、設定メタデータがメタデータ表示設定を示す。１つの実装では、コンテンツデータ及び設定メタデータが別のデータベースに記憶され、従って個別にアクセスされる。別の実装では、コンテンツデータ及び設定メタデータが、単一のデータベース又はファイルにまとめて記憶され、従ってまとめてアクセスされる。
【００３８】
設定メタデータを処理する手段３５０は、設定メタデータを処理してメタデータ表示設定を決定するように構成される。上述したように、表示設定は、ディスプレイ装置の動作及びコンテンツの視覚的表現に影響を与える。１つの実装では、メタデータ表示設定が、表示モード及びピクチャ設定などのパラメータを含む。１つの実装では、表示モードが、シネマ、ＩＭＡＸ、標準、鮮明、カスタム又はリテールのうちの１つを含む。別の実装では、ピクチャ設定が、バックライト、コントラスト、輝度、色、色相及び色温度のうちの少なくとも１つを含む。
【００３９】
表示モードを設定する手段３６０は、設定メタデータを処理する手段３５０から受け取ったメタデータ表示設定に従ってディスプレイ装置の表示モードを設定するように構成される。１つの実装では、表示モードが、受け取られた表示設定を使用して表示モードの属性を設定することによって設定される。別の実装では、メタデータ表示設定が、特定のディスプレイ装置の表示モードを既に含んでいる。
【００４０】
メディアコンテンツを表示する手段３７０は、設定された表示モードに従ってディスプレイ装置上にメディアコンテンツを表示するように構成される。
【００４１】
図４Ａは、本開示の実装によるコンピュータシステム４００及びユーザ４０２の表現である。ユーザ４０２は、図１に示すブロック図のシステム１００及び図３に示すプロセス３００に関して図示し説明したように、コンピュータシステム４００を使用して表示モード設定アプリケーション４９０を実行する。
【００４２】
コンピュータシステム４００は、図４Ｂの表示モード設定アプリケーション４９０を記憶して実行する。また、コンピュータシステム４００は、ソフトウェアプログラム４０４と通信することもできる。ソフトウェアプログラム４０４は、コンテンツ再生アプリケーションのためのソフトウェアコードを含むことができる。以下でさらに説明するように、ソフトウェアプログラム４０４は、ＣＤ、ＤＶＤ又はストレージドライブなどの外部媒体にロードすることができる。
【００４３】
さらに、コンピュータシステム４００は、ネットワーク４８０に接続することができる。ネットワーク４８０は、例えばクライアント−サーバアーキテクチャ、ピアツーピアネットワークアーキテクチャ又はその他のタイプのアーキテクチャなどの様々な異なるアーキテクチャで接続することができる。例えば、ネットワーク４８０は、表示モード設定アプリケーション４９０内で使用されるエンジン及びデータを協調させるサーバ４８５と通信することができる。また、ネットワークは、異なるタイプのネットワークとすることもできる。例えば、ネットワーク４８０は、インターネット、ローカルエリアネットワーク又はローカルエリアネットワークのいずれかの変形形態、ワイドエリアネットワーク、メトロポリタンエリアネットワーク、イントラネット又はエクストラネット、或いは無線ネットワークとすることができる。
【００４４】
図４Ｂは、本開示の実装による、表示モード設定アプリケーション４９０をホストするコンピュータシステム４００を示す機能ブロック図である。コントローラ４１０はプログラマブルプロセッサであり、コンピュータシステム４００及びそのコンポーネントの動作を制御する。コントローラ４１０は、メモリ４２０又は内蔵コントローラメモリ（図示せず）から（例えば、コンピュータプログラムの形態の）命令をロードし、これらの命令を実行してシステムを制御する。その実行中、コントローラ４１０は、表示モード設定アプリケーション４９０内のエンジン及びデータ抽出器の生成及び構成を可能にするようなソフトウェアシステムを表示モード設定アプリケーション４９０に提供する。或いは、このサービスは、コントローラ４１０内又はコンピュータシステム４００内の独立ハードウェアコンポーネントとして実装することもできる。
【００４５】
メモリ４２０は、コンピュータシステム４００の他のコンポーネントが使用するデータを一時的に記憶する。１つの実装では、メモリ４２０がＲＡＭとして実装される。１つの実装では、メモリ４２０が、フラッシュメモリ及び／又はＲＯＭなどの長期的又は永続的メモリも含む。
【００４６】
ストレージ４３０は、コンピュータシステム４００の他のコンポーネントが使用するデータを一時的に又は長期にわたって記憶する。例えば、ストレージ４３０は、表示モード設定アプリケーション４９０が使用するデータを記憶する。１つの実装では、ストレージ４３０がハードディスクドライブである。
【００４７】
媒体装置４４０は、取り外し可能媒体を受け取って、挿入された媒体に対するデータの読み取り及び／又は書き込みを行う。１つの実装では、例えば媒体装置４４０が光ディスクドライブである。
【００４８】
ユーザインターフェイス４５０は、コンピュータシステム４００のユーザからのユーザ入力を受け入れてユーザ４０２に情報を提示するためのコンポーネントを含む。１つの実装では、ユーザインターフェイス４５０が、キーボード、マウス、オーディオスピーカ及びディスプレイを含む。コントローラ４１０は、ユーザ４０２からの入力を使用してコンピュータシステム４００の動作を調整する。
【００４９】
Ｉ／Ｏインターフェイス４６０は、外部ストレージ又は補助装置（例えば、プリンタ又はＰＤＡ）などの対応するＩ／Ｏ装置に接続するための１又は２以上のＩ／Ｏポートを含む。１つの実装では、Ｉ／Ｏインターフェイス４６０のポートが、ＨＢＳポート、ＰＣＭＣＩＡポート、シリアルポート及び／又はパラレルポートなどのポートを含む。別の実装では、Ｉ／Ｏインターフェイス４６０が、外部装置と無線で通信するための無線インターフェイスを含む。
【００５０】
ネットワークインターフェイス４７０は、イーサネット接続をサポートするＲＪ−４５又は（限定するわけではないが８０２．１１を含む）「Ｗｉ−Ｆｉ」インターフェイスなどの有線及び／又は無線ネットワーク接続を含む。
【００５１】
コンピュータシステム４００は、コンピュータシステムに典型的なさらなるハードウェア及びソフトウェア（例えば、電力システム、冷却システム、オペレーティングシステム）も含むが、これらのコンポーネントは、単純化のために図４Ｂには具体的に示していない。他の実装では、コンピュータシステムの異なる構成（例えば、異なるバス又はストレージ構成、又はマルチプロセッサ構成）を使用することもできる。
【００５２】
１つの実装では、表示モード設定システム１００が、１又は２以上のデジタルシグナルプロセッサ（ＤＳＰ）、汎用マイクロプロセッサ、特定用途向け集積回路（ＡＳＩＣ）、フィールドプログラマブルゲート／ロジックアレイ（ＦＰＧＡ）、又は他の同等の集積論理回路又は個別論理回路を含むハードウェアで完全に構成されたシステムである。別の実装では、表示モード設定システム１００が、ハードウェアとソフトウェアとの組み合わせで構成される。例えば、ネットワークインターフェイス１４０はハードウェアで構成されるのに対し、設定モジュール及びメタデータモジュール１３０の機能は、独立プロセッサ内に常駐するソフトウェアとして構成される。
【００５３】
本明細書における開示する実装の説明は、本発明をあらゆる当業者が実施又は利用できるように行ったものである。当業者には、これらの実装の数多くの修正が容易に明らかになると思われ、また本明細書で定める原理は、本発明の趣旨又は範囲から逸脱することなく他の実装にも適用することができる。従って、本開示は、本明細書に示す実装に限定されることを意図するものではなく、本明細書に開示する原理及び新規の特徴と一致する最も広い範囲を許容すべきものである。
【００５４】
本開示の様々な実装は、電子ハードウェア、コンピュータソフトウェア、又はこれらの技術の組み合わせで実現される。いくつかの実装は、１又は２以上のコンピュータ装置によって実行される１又は２以上のコンピュータプログラムを含む。一般に、コンピュータ装置は、１又は２以上のプロセッサ、１又は２以上のデータストレージコンポーネント（例えば、揮発性又は不揮発性メモリモジュール、並びにハードディスクドライブ及びフロッピーディスクドライブ、ＣＤ−ＲＯＭドライブ及び磁気テープドライブなどの永続的光学及び磁気記憶装置）、１又は２以上の入力装置（例えば、ゲームコントローラ、マウス及びキーボード）、並びに１又は２以上の出力装置（例えば、ディスプレイ装置）を含む。
【００５５】
コンピュータプログラムは、通常はコンピュータ可読記憶媒体に記憶され、実行時にメモリにコピーされる実行可能コードを含む。このコードは、少なくとも１つのプロセッサがメモリから所定の順序でプログラム命令を読み出すことによって実行される。プログラムコードを実行する場合、コンピュータは、入力装置及び／又は記憶装置からデータを受け取り、データに対して処理を実行し、結果として得られたデータを出力装置及び／又は記憶装置に提供する。
【００５６】
当業者であれば、本明細書で説明した様々な例示的なモジュール及び方法ステップは、電子ハードウェア、ソフトウェア、ファームウェア、又はこれらの組み合わせとして実装することができると理解するであろう。このハードウェアとソフトウェアとの互換性を明確に説明するために、本明細書では様々な例示的なモジュール及び方法ステップを一般にこれらの機能の面で説明した。このような機能がハードウェアとして実装されるか、それともソフトウェアとして実装されるかは、システム全体に課せられる特定の用途及び設計制約に依存する。当業者であれば、説明した機能を特定の用途毎に様々な方法で実装することができるが、このような実装決定は、本発明の範囲からの逸脱を引き起こすものとして解釈すべきではない。また、モジュール又はステップ内の機能をグループ化しているのは、説明を容易にするためである。本開示から逸脱することなく、特定の機能を１つのモジュール又はステップから別のモジュール又はステップに移行させることもできる。
【００５７】
本開示の特定の実装では、必ずしも上述した各実施例の全ての特徴が必要なわけではない。さらに、本明細書に示す説明及び図面は、本発明によって幅広く検討される主題を表すものであると理解されたい。さらに、本開示の範囲は、当業者に明らかになることができる他の実装を完全に含み、従って添付の特許請求の範囲以外のものによって限定されるものではないと理解されたい。
【符号の説明】
【００５８】
１００  システム
１１０  ディスプレイ
１２０  設定モジュール
１３０  メタデータモジュール
１４０  ネットワークインターフェイス
１６０  コンテンツデータベース
１７０  設定メタデータデータベース
１８０  コンテンツ制作者
【図１】
2021531712.tif 000003
【図２】
2021531712.tif 000004
【図３】
2021531712.tif 000005
【図４Ａ】
2021531712.tif 000006
【図４Ｂ】
2021531712.tif 000007
【国際調査報告】
2021531712.tif 000008